(57)【特許請求の範囲】
【請求項１】
患者用椅子１と当該患者用椅子１を後方から見て左側方の床面２に固定されたカウンセリングキャビネットユニット部３と、右側方に設けられたドクターテーブル部４とから成る歯科診療装置において、
前記患者用椅子１は床面２に固定された基台５に対し水平面内にて回転自在であるとともに当該患者用椅子１の背もたれ部１ａを起こすことにより着座した患者６の下腿部６ａが垂直に折れる前折れタイプの患者用椅子１により構成し、
前記カウンセリングキャビネットユニット部３は、カウンセリングテーブル７と、カウンセリングキャビネット９と、前記カウンセリングテーブル７の下面に設けられたスピットンボール１０と当該スピットンボール１０の上面を覆う前記カウンセリングテーブル部分を開閉自在な蓋２２で形成し、当該蓋２２の裏面に設けたカウンセリング時に用いる鏡２３と、前記カウンセリングテーブル７の下面に設けられたアシスタントハンガー１１及び脚部１２とから成り、
前記患者用椅子１から分離独立した状態にて、前記脚部１２を介して床面２に固定されるとともに前記カウンセリングテーブル７の下面に設けられたスピットンボール１０と床面２との間には、前記患者用椅子１の背もたれを起こした状態で、当該患者用椅子１を反時計回りに回転させる場合に患者６の下腿部６ａが余裕をもって通過しうる広さの空間１３が形成されるように構成し、
前記ドクターテーブル部４は、ドクターテーブル１６の下面にインスツルメントハンガー１７を移動自在に設けるとともに当該ドクターテーブル１６の手前側に操作ボタン２０を設け、かつ当該ドクターテーブル部４の全体を前記患者用椅子１の基台５を基端としアーム１８を介して移動自在に設けることにより構成し、
前記患者用椅子１を背もたれを起こして患者６の導入側Ａに向け、患者６が着座しやすい初期状態にして位置を固定しつつ患者６を着座させた後、前記患者用椅子１を時計回りに回転させ患者６の下腿部６ａを前記カウンセリングキャビネットユニット部３のカウンセリングテーブル７下方の空間１３内に移動させつつ前記カウンセリングキャビネットユニット部３に対向した位置まで移動して固定し、診療に先立つカウンセリングを行うとともにこのカウンセリング後には、前記患者用椅子１を時計回りに回転して、患者６の頭部が診療位置に至った位置で停止し、その位置を固定して背もたれ部１ａを倒し、前記ドクターテーブル部４を診療に適した位置に移動して診療を開始し、さらに当該診療終了後は、前記患者用椅子１の背もたれ部１ａを起こして前折れ状態にし、前記ドクターテーブル部４の位置を診療時の状態にしたまま前回と逆の反時計回りに回転して患者６をカウンセリングキャビネット９に対向した位置まで移動して固定し、前記カウンセリングキャビネットユニット部３のスピットンボール１０の蓋２２を開き、当該蓋２２に設けられた鏡２３を見ながらブラッシング等の指導を行った後、前記患者用椅子１を更に反時計回りに回転し、退出位置まで移動して固定し、前記患者６を退出させることにより、前記ドクターテーブル部４を移動させずに前記患者用椅子１を反時計方向に回転して、患者６を導入又は退出させることが可能に構成したことを特徴とする歯科診療装置。
【発明の詳細な説明】
【０００１】
【発明の属する技術分野】
本発明は、歯科医院において患者の導入及び退出時における医師の労力を軽減するるとともに治療行為に適した歯科診療装置に関する。
【０００２】
【従来の技術】
従来の歯科診療装置における患者用椅子は、該患者用椅子の後方から見て左側方にスピットンボールが、右側方にドクターテーブルが配置されているものが一般的である。このような歯科診療装置においては、患者を患者用椅子に導入する際にドクターテーブルの右側方に回り込ませなければならないために、医師は導入する度にドクターテーブルを患者の通行に支障のない位置まで移動させていた。
【０００３】
前記従来の歯科診療装置の例としては、特公平７−２０４７７号公報に開示された発明が公知である。この発明は、患者用椅子を後方から見て右側にドクターテーブルが設けられ、左側にスピットンボール、及びカウンセリング機器が配置されたもので、患者の導入及び退出は前方からのみに限定され、患者と医師との移動線が交わらないようにしている。
【０００４】
また、患者用椅子が水平面内にて回転可能に構成された従来の歯科診療装置の例としては、特開平１０−２１１２２２号公報に開示された発明が公知である。この発明は、回転可能な患者用椅子を後方から見て右側に天板、ドクターテーブル、スピットンボール、及びカウンセリング機器等が集中配置されているもので、患者用椅子の回転により患者を前後方向から導入及び退出させることが想定さる。
【０００５】
【発明が解決しようとする課題】
しかしながら、前記特公平７−２０４７７号公報に開示された発明は、患者の導入及び退出が前方からのみに限定されているものであって、患者用椅子を回転して導入及び退出をさせることについては述べられていない。
【０００６】
また、前記特開平１０−２１１２２２号公報に開示された発明は、診療が終了した後に患者用椅子を時計回りに回転させて診療位置から退出位置に移動させる場合に、天板下部から引き出して使用していたドクターテーブルが回転の支障となるためドクターテーブルを元の天板下部に押し込まなければならなかった。従って、医師は患者の導入及び退出の度にドクターテーブルを移動させるとともに医師の診療ポジションも設定しなおさなければならないという煩わしさがあり、医師の負担が大きいという問題があった。
【０００７】
よって本発明は前記問題点に鑑みてなされたものであり、患者用椅子１と当該患者用椅子１を後方から見て左側方の床面２に固定されたカウンセリングキャビネットユニット部３と、右側方に設けられたドクターテーブル部４とから成る歯科診療装置において、患者の導入及び退出の度にドクターテーブルを移動させたり、医師の診療ポジションを変更したりすることなく患者用椅子を回転させることが可能な歯科診療装置の提供を目的とする。
【０００８】
【課題を解決するための手段】
上記目的を達成するため、本発明に係る請求項１の歯科診療装置は、患者用椅子１と当該患者用椅子１を後方から見て左側方の床面２に固定されたカウンセリングキャビネットユニット部３と、右側方に設けられたドクターテーブル部４とから成る歯科診療装置において、前記患者用椅子１は床面２に固定された基台５に対し水平面内にて回転自在であるとともに当該患者用椅子１の背もたれ部１ａを起こすことにより着座した患者６の下腿部６ａが垂直に折れる前折れタイプの患者用椅子１により構成し、前記カウンセリングキャビネットユニット部３は、カウンセリングテーブル７と、カウンセリングキャビネット９と、前記カウンセリングテーブル７の下面に設けられたスピットンボール１０と当該スピットンボール１０の上面を覆う前記カウンセリングテーブル部分を開閉自在な蓋２２で形成し、当該蓋２２の裏面に設けたカウンセリング時に用いる鏡２３と、前記カウンセリングテーブル７の下面に設けられたアシスタントハンガー１１及び脚部１２とから成り、前記患者用椅子１から分離独立した状態にて、前記脚部１２を介して床面２に固定されるとともに前記カウンセリングテーブル７の下面に設けられたスピットンボール１０と床面２との間には、前記患者用椅子１の背もたれを起こした状態で、当該患者用椅子１を反時計回りに回転させる場合に患者６の下腿部６ａが余裕をもって通過しうる広さの空間１３が形成されるように構成し、前記ドクターテーブル部４は、ドクターテーブル１６の下面にインスツルメントハンガー１７を移動自在に設けるとともに当該ドクターテーブル１６の手前側に操作ボタン２０を設け、かつ当該ドクターテーブル部４の全体を前記患者用椅子１の基台５を基端としアーム１８を介して移動自在に設けることにより構成し、前記患者用椅子１を背もたれを起こして患者６の導入側Ａに向け、患者６が着座しやすい初期状態にして位置を固定しつつ患者６を着座させた後、前記患者用椅子１を時計回りに回転させ患者６の下腿部６ａを前記カウンセリングキャビネットユニット部３のカウンセリングテーブル７下方の空間１３内に移動させつつ前記カウンセリングキャビネットユニット部３に対向した位置まで移動して固定し、診療に先立つカウンセリングを行うとともにこのカウンセリング後には、前記患者用椅子１を時計回りに回転して、患者６の頭部が診療位置に至った位置で停止し、その位置を固定して背もたれ部１ａを倒し、前記ドクターテーブル部４を診療に適した位置に移動して診療を開始し、さらに当該診療終了後は、前記患者用椅子１の背もたれ部１ａを起こして前折れ状態にし、前記ドクターテーブル部４の位置を診療時の状態にしたまま前回と逆の反時計回りに回転して患者６をカウンセリングキャビネット９に対向した位置まで移動して固定し、前記カウンセリングキャビネットユニット部３のスピットンボール１０の蓋２２を開き、当該蓋２２に設けられた鏡２３を見ながらブラッシング等の指導を行った後、前記患者用椅子１を更に反時計回りに回転し、退出位置まで移動して固定し、前記患者６を退出させることにより、前記ドクターテーブル部４を移動させずに前記患者用椅子１を反時計方向に回転して、患者６を導入又は退出させることが可能に構成したことを特徴とするものである。
【０００９】
請求項１の歯科診療装置によれば、患者用椅子１と当該患者用椅子１を後方から見て左側方の床面２に固定されたカウンセリングキャビネットユニット部３と、右側方に設けられたドクターテーブル部４とから成る歯科診療装置において、前記患者用椅子１は床面２に固定された基台５に対し水平面内にて回転自在であるとともに当該患者用椅子１の背もたれ部１ａを起こすことにより着座した患者６の下腿部６ａが垂直に折れる前折れタイプの患者用椅子１により構成し、前記カウンセリングキャビネットユニット部３は、カウンセリングテーブル７と、カウンセリングキャビネット９と、前記カウンセリングテーブル７の下面に設けられたスピットンボール１０と当該スピットンボール１０の上面を覆う前記カウンセリングテーブル部分を開閉自在な蓋２２で形成し、当該蓋２２の裏面に設けたカウンセリング時に用いる鏡２３と、前記カウンセリングテーブル７の下面に設けられたアシスタントハンガー１１及び脚部１２とから成り、前記患者用椅子１から分離独立した状態にて、前記脚部１２を介して床面２に固定されるとともに前記カウンセリングテーブル７の下面に設けられたスピットンボール１０と床面２との間には、前記患者用椅子１の背もたれを起こした状態で、当該患者用椅子１を反時計回りに回転させる場合に患者６の下腿部６ａが余裕をもって通過しうる広さの空間１３が形成されるように構成し、前記ドクターテーブル部４は、ドクターテーブル１６の下面にインスツルメントハンガー１７を移動自在に設けるとともに当該ドクターテーブル１６の手前側に操作ボタン２０を設け、かつ当該ドクターテーブル部４の全体を前記患者用椅子１の基台５を基端としアーム１８を介して移動自在に設けることにより構成し、前記患者用椅子１を背もたれを起こして患者６の導入側Ａに向け、患者６が着座しやすい初期状態にして位置を固定しつつ患者６を着座させた後、前記患者用椅子１を時計回りに回転させ患者６の下腿部６ａを前記カウンセリングキャビネットユニット部３のカウンセリングテーブル７下方の空間１３内に移動させつつ前記カウンセリングキャビネットユニット部３に対向した位置まで移動して固定し、診療に先立つカウンセリングを行うとともにこのカウンセリング後には、前記患者用椅子１を時計回りに回転して、患者６の頭部が診療位置に至った位置で停止し、その位置を固定して背もたれ部１ａを倒し、前記ドクターテーブル部４を診療に適した位置に移動して診療を開始し、さらに当該診療終了後は、前記患者用椅子１の背もたれ部１ａを起こして前折れ状態にし、前記ドクターテーブル部４の位置を診療時の状態にしたまま前回と逆の反時計回りに回転して患者６をカウンセリングキャビネット９に対向した位置まで移動して固定し、前記カウンセリングキャビネットユニット部３のスピットンボール１０の蓋２２を開き、当該蓋２２に設けられた鏡２３を見ながらブラッシング等の指導を行った後、前記患者用椅子１を更に反時計回りに回転し、退出位置まで移動して固定し、前記患者６を退出させることにより、前記ドクターテーブル部４を移動させずに前記患者用椅子１を反時計方向に回転して、患者６を導入又は退出させることが可能に構成し、従来のように患者の導入及び退出の度にドクターテーブル部を移動させる煩雑さがなくなるとともに、医師の診療ポジションも変更する必要がなくなり、医師の負担が軽減され、診療効果が高まる。
【００１０】
さらに、患者をドクターテーブルの外側に回り込ませて着座させるための通路が不用となり、装置の設置面積が削減される。
【００１１】
請求項２の歯科診療装置は、前記スピットンボールをカウンセリングキャビネットのテーブル下面に配置し、該テーブルのスピットンボール上面を覆う部分をスピットンボールの面に対向して開閉自在な蓋に形成するとともに、該蓋の裏面にカウンセリング時に用いる鏡を設けたことを特徴とするものである。
【００１２】
請求項２の歯科診療装置によれば、スピットンボールの上面を覆うテーブル部分を開閉自在な蓋に形成したことにより、スピットンボールを用いないでカウンセリングをする場合は、蓋を閉めてスピットンボールを見えなくし、患者に不快な思いをさせないようにすることが可能となる他、閉めた蓋の面がカウンセリングテーブルの面と同一面になるのでその面がテーブルとしての使用可能となる。
【００１３】
さらに、蓋の裏面には鏡が設けられているので蓋を開けることにより鏡を見ながらブラッシング等の指導を行うことが可能となる。
【００１６】
【発明の実施の形態】
以下、本発明の実施の形態を図面に基づいて説明する。
図１から図８は本発明の実施の形態に係り、図１は歯科診療装置の斜視図、図２はスピットンボールの面の蓋を閉めた状態を示す図斜視図、図３はスピットンボールの面の蓋を開いた状態を示す図斜視図、図４はカウンセリング時におけるカウンセリングキャビネットユニット部と患者用椅子との位置関係を示す側面図、図５はカウンセリングキャビネット部の正面図、図６はカウンセリングキャビネット部をアシスタントハンガー側から見た図、図７はカウンセリングキャビネット部の上面図、図８は個室に備えた歯科診療装置の斜視図ある。
【００１７】
本発明の歯科診療装置は、図１に示されるように患者用椅子１と、患者用椅子１を後方から見て左側方の床面２に固定されたカウンセリングキャビネットユニット部３と、右側方に設けられたドクターテーブル部４とに大別される。
【００１８】
前記患者用椅子１は、床面２に固定された基台５に対し水平面内にて回転自在であるとともに、図４に示されるように、椅子１の背もたれ部１ａを起こすことにより着座した患者６の下腿部６ａが垂直に折れるように構成された前折れタイプのものである。
【００１９】
前記カウンセリングキャビネットユニット部３は、図１に示されるように、カウンセリングテーブル７とその上方に設けられたパノラマビュアー８等からなるカウンセリングキャビネット９と、カウンセリングテーブル７の下面に設けられたスピットンボール１０と、アシスタントハンガー１１及び脚部１２とからなるもので、患者用椅子１から分離独立した状態にて脚部１２を介して床面２に固定されている。
【００２０】
前記カウンセリングテーブル７下面に取りつけられたスピットンボール１０の上面は、その面を覆うテーブル７部分がスピットンボール１０の上面に対向して開閉自在な蓋２２に形成されていて、蓋２２のスピットンボール１０に対向する面、即ち裏面にはカウンセリング時に用いる鏡２３が設けられており、脚部１２内向面には患者用椅子１の回転を容易にする円弧状の面１２ａが形成されている。
【００２１】
また、カウンセリングテーブル７の下面に設けられたスピットンボール１０と床面２との間には、図３、図４及び図６に示されるように患者用椅子１の背もたれを起こした状態で反時計回りに回転させる場合に患者６の下腿部６ａが余裕をもって通過しうる広さの空間１３が形成されている。
【００２２】
なお、カウンセリングキャビネット９の上部には患者６の口元を照らすためのデンタルライト１４がアーム１５を介して回転自在に設けられている。このデンタルライト１４はカウンセリングキャビネット９に取りつけずに天井から回転自在に垂下してもよい。
【００２３】
前記ドクターテーブル部４は、図１に示されるように、ドクターテーブル１６の下面にインスツルメントハンガー１７が移動自在に設けられており、ドクターテーブル部４の全体が前記患者用椅子１の基台５を基端としアーム１８を介して移動自在に設けられており医師１９が使用しやすい位置に移動させることができるようになっている。
【００２５】
以上の構成からなる歯科診療装置を用いて患者を導入する場合は、先ず患者用椅子１の背もたれを起こして導入側Ａに向け、患者が着座しやすい初期状態にして位置を固定しておく。患者を着座させた後、医師はドクターテーブル１６の手前側に設けられた操作ボタン２０を操作して患者用椅子１を時計回りに回転させ、カウンセリングキャビネット部３に対向した位置まで移動して固定する。この位置では図４に示されるように、患者の下腿部６ａがカウンセリングテーブル下方の空間１３内に移動している。ここで医師１９は診療に先立ちパノラマビュアー８あるいは図示しないモニターテレビなどを見ながらカウンセリングを行う。
【００２６】
カウンセリングの後は、患者用椅子１を更に時計回りに回転して患者の頭部が診療位置に至った位置にて停止し位置を固定して背もたれ部１ａを倒し、ドクターテーブル部４を診療に適した位置に移動して診療を開始する。
【００２７】
また、診療終了後は患者用椅子１の背もたれ部１ａを起こして前折れ状態にし、ドクターテーブル部４の位置を診療時の状態にしたまま前回と逆の反時計回りに回転して患者６をカウンセリングキャビネット９に対向した位置まで移動して固定する。ここではスピットンボール１０の蓋２２を開き、蓋２２の裏面に設けられた鏡２３を見ながらブラッシング等の指導を行う。ブラッシング等の指導後は患者用椅子１を更に反時計回りに回転し、退出位置まで移動して固定し、患者を退出させる。
【００２８】
以上、患者の導入から退出までにおける患者用椅子１の回転中は背もたれ１ａが起こされた前折れ状態であり、患者６の下腿部６ａが垂直状態にてカウンセリングテーブル７の下方に形成された空間１３内を通過することができるとともに、背もたれ１ａが起こされているのでドクターテーブル部４は診療位置に移動したままでも背もたれ１ａがドクターテーブル部４に当接することがなく回転可能となる。従って、患者の導入及び退出の度にドクターテーブル部４を移動させることなく、しかも医師は常に一定の診療ポジション２１を保つことができる。
【００２９】
また、この構成の歯科診療装置は、従来のように患者をドクターテーブル１６外側に回り込ませる必要がないので、例えば図４に示されるように、仕切板にて仕切られた狭い個室に対してもコンパクトに配置することができる。
【００３０】
なお、個室内では患者用椅子１が床面２の略中央に、ドクターテーブル部４がその後方から見て右側方の仕切板２４に沿った床面２に、カウンセリングキャビネット部３が患者用椅子１とは分離され独立状態にて左側方に仕切板２５の一部を兼ねて床面２に配置されている。
【００３１】
【発明の効果】
本発明によれば、医師が患者の導入及び退出の度にドクターテーブル部を移動させる煩わしさがなくなると同時に常に一定の診療ポジションを保ちつつ診療を行うことができるので、医師の負担が軽減され、診療効果を高めることが可能となる。
【００３２】
また、患者用椅子を回転して患者を医師側から着座させることにより、従来の装置のようにドクターテーブルの外側に回り込ませて導入するための通路が不用となり省スペースとなる他、スピットンボール上面を開閉自在な蓋にて覆うことにより、スピットンを使用しない場合は蓋をして患者に不快な思いをさせないようにするとともに、閉めた蓋の面をカウンセリング時のテーブル面として使用することができる。更に蓋の裏面に鏡を設けたことにより鏡を用いてブラッシング等の指導をすることができる。
【図面の簡単な説明】
【図１】本発明の実施の形態に係る歯科診療装置の斜視図である。
【図２】スピットンボールの面の蓋を閉めた状態を示す図斜視図である。
【図３】スピットンボールの面の蓋を開いた状態を示す図斜視図である。
【図４】カウンセリング時におけるカウンセリングキャビネットユニット部と患者用椅子との位置関係を示す側面図である。
【図５】カウンセリングキャビネット部の正面図である。
【図６】カウンセリングキャビネット部をアシスタントハンガー側から見た図である。
【図７】カウンセリングキャビネット部の上面図である。
【図８】個室に備えた歯科診療装置の斜視図である。
【符号の説明】
１  患者用椅子
２  床面
３  カウンセリングキャビネット部
４  ドクターテーブル部
５  基台
６  患者
７  カウンセリングテーブル
８  パノラマビュアー
９  カウンセリングキャビネット
１０  スピットンボール
１１  アシスタントハンガー
１２  脚部
１３  空間
１４  デンタルライト
１５  アーム
１６  ドクターテーブル
１７  インスツルメントハンガー
１８  アーム
２０  操作ボタン
２１  診療ポジション
２２  蓋
２３  鏡
２４，２５  仕切板
【図１】
0004674732.tif 000002
【図２】
0004674732.tif 000003
【図３】
0004674732.tif 000004
【図４】
0004674732.tif 000005
【図５】
0004674732.tif 000006
【図６】
0004674732.tif 000007
【図７】
0004674732.tif 000008
【図８】
0004674732.tif 000009